(57)【要約】【課題】容易に光源を切り換えることができる携帯用照明装置を提供すること。【解決手段】電源としての電池１３が収容されたケーシング２と、投光用光源９を有する投光部１５と、散光用光源１０を有する散光部１６と、前記ケーシング２が設置面Ｆ上に置かれた際に前記散光用光源１０を発光させると共に前記ケーシングを持ち上げた際に前記投光用光源９を発光させる切換手段１９を設けたことで、前記ケーシング２を置く或いは持ち上げるという操作だけで、持った状態で使用されるべき投光用光源９と、置かれた状態で使用されるべき散光用光源１０とを自動的に切り換えることができる。【選択図】図２
2011150800.tif 000002
【特許請求の範囲】
【請求項１】
電源が収容されたケーシングと、投光用光源を有する投光部と、散光用光源を有する散光部と、前記ケーシングが設置面上に載置された際に前記散光用光源を発光させると共に前記ケーシングが前記設置面から浮いた際に前記投光用光源を発光させる切換手段を設けたことを特徴とする携帯用照明装置。
【請求項２】
前記ケーシングが半透明な材質で構成されると共に、前記ケーシング内に前記散光用光源を設けたことを特徴とする請求項１記載の携帯用照明装置。
【請求項３】
前記投光用光源の色温度を、前記散光用光源の色温度よりも高くしたことを特徴とする請求項２記載の携帯用照明装置。
【発明の詳細な説明】
【技術分野】
【０００１】
本発明は、把持しても設置しても使用可能な携帯用照明装置に関するものである。
【背景技術】
【０００２】
従来、この種の携帯用照明装置としては、集光用ランプ（本発明の投光用光源に相当する）及び拡散用ランプ（本発明の散光用光源に相当する）を有するものが知られている（例えば、特許文献１参照。）。そして、集光用ランプは、通常、持って使用するものであり、拡散用ランプは、通常、置いたり吊り下げたりして使用するものである。
【先行技術文献】
【特許文献】
【０００３】
【特許文献１】特開２０００−２６８６０１号公報
【発明の概要】
【発明が解決しようとする課題】
【０００４】
しかしながら、このような携帯用照明装置は、各光源の切り換えを手動で行わなければならないので、使い勝手が悪いという問題があった。
【０００５】
本発明は以上の問題点を解決し、容易に光源を切り換えることができる携帯用照明装置を提供することを目的とする。
【課題を解決するための手段】
【０００６】
本発明の請求項１に記載の携帯用照明装置は、電源が収容されたケーシングと、投光用光源を有する投光部と、散光用光源を有する散光部と、前記ケーシングが設置面上に載置された際に前記散光用光源を発光させると共に前記ケーシングが前記設置面から浮いた際に前記投光用光源を発光させる切換手段を設けたものである。
【０００７】
また、本発明の請求項２に記載の携帯用照明装置は、請求項１において、前記ケーシングが半透明な材質で構成されると共に、前記ケーシング内に前記散光用光源を設けたものである。
【０００８】
更に、本発明の請求項３に記載の携帯用照明装置は、請求項２において、前記投光用光源の色温度を、前記散光用光源の色温度よりも高くしたものである。
【発明の効果】
【０００９】
本発明の請求項１に記載の携帯用照明装置は、以上のように構成することにより、設置面上に前記ケーシングを設置した際に、前記切換手段によって前記電源から前記散光部の散光用光源に電力が供給され、光が広い範囲に拡散すると共に、前記ケーシングを把持した際に、前記切換手段によって前記電源から前記投光部の投光用光源に電力が供給されるので、前記ケーシングを置く或いは持ち上げるだけで、自動的に光源を切り換えることができる。
【００１０】
また、前記ケーシングを半透明な材質で構成し、このケーシング内に前記散光用光源を設けたことにより、前記散光用光源から発する光を柔らかくすることができる。
【００１１】
更に、前記投光用光源の色温度を高く、前記散光用光源の色温度を低くしたことにより、用途に応じて最適な光を得ることができる。
【図面の簡単な説明】
【００１２】
【図１】本発明の一実施形態を示す携帯型照明装置の正面図である。
【図２】同、携帯時における断面図である。
【図３】同、設置時における断面図である。
【図４】同、回路図である。
【発明を実施するための形態】
【００１３】
以下、本発明の実施形態について、図１乃至図４に基づいて説明する。なお、本実施形態において、図１乃至図３の姿勢に基づいて上下を規定する。１は本発明の携帯用照明装置である。この携帯用照明装置１のケーシング２は、半透明の合成樹脂からなる上ケーシング３と、透明の合成樹脂からなる下ケーシング４とを有して構成される。そして、前記携帯用照明装置１は、前記上ケーシング３の下端３Ａが設置面Ｆに接した状態で、この設置面Ｆ上に置いて使用可能に構成される。なお、前記上ケーシング３の下端３Ａは、前記下ケーシング４の下端４Ａよりも下方に突出する。即ち、前記上ケーシング３の下端３Ａが設置面Ｆに接するように、前記携帯用照明装置１を設置面Ｆに置いた場合、前記下ケーシング４は設置面Ｆから浮いた状態となる。
【００１４】
前記上ケーシング３は、把持部５を有する。そして、前記下ケーシング４は、集光レンズ６を有する。また、前記下ケーシング４には、操作体７及び切換体８が設けられる。これらの操作体７及び切換体８は、上下方向に移動可能に設けられる。また、前記ケーシング２内には、投光用光源９と、散光用光源１０と、操作スイッチ１１と、切換スイッチ１２と、電池１３と、電子回路１４が設けられる。なお、前記電池１３は、一次電池であっても二次電池であっても、或いは燃料電池等であっても良い。前記投光用光源９は、白色ＬＥＤであり、下向きに設けられる。そして、この投光用光源９の下方（即ち照射方向）に、前記集光レンズ６が設けられる。これら投光用光源９と集光レンズ６とで、投光部１５が構成される。一方、前記散光用光源１０は、電球色ＬＥＤであり、上向きに設けられる。そして、この散光用光源１０は、半透明の前記上ケーシング３によって覆われる。即ち、前記上ケーシング３は、半透明のセードとなる。これら散光用光源１０と上ケーシング３とで、散光部１６が構成される。
【００１５】
また、前記操作スイッチ１１は、前記操作体７に対応して設けられる。即ち、前記操作体７を押すことで、前記操作スイッチ１１が押されるように構成される。同様に、前記切換スイッチ１２は、前記切換体８に対応して設けられる。即ち、前記切換体８が押されることで、前記切換スイッチ１２が押されるように構成される。なお、前記操作体７及び切換体８は、押圧により押し込まれ、且つ、押圧を止めた際に復元するように、弾性的に支持される。本例では、前記操作体７及び切換体８は、それぞれ付勢手段１７，１８によって常時下方に付勢される構造だが、他の構造を採用しても良い。更に、前記下ケーシング４の下端４Ａからの前記操作体７の突出量は、前記上ケーシング３の下端３Ａの突出量よりも小さい。一方、前記下ケーシング４の下端４Ａからの前記切換体８の突出量は、前記上ケーシング３の下端３Ａの突出量よりも大きい。即ち、前記上ケーシング３の下端３Ａが設置面Ｆに接するように、前記携帯用照明装置１を設置面Ｆ上に置いた場合、前記操作体７の下端７Ａは設置面Ｆから浮いた状態となり、前記切換体８の下端８Ａは前記設置面Ｆにより押される。そして、前記切換スイッチ１２と切換体８と付勢手段１８によって、切換手段１９が構成される。
【００１６】
前記各光源を点灯させるための電子回路１４について詳述する。この電子回路１４は、制御回路２０及び定電流回路２１を有する。そして、前記制御回路２０には、前記操作スイッチ１１が接続される。また、前記定電流回路２１は、前記制御回路２０と並列に設けられると共に、前記制御回路２０によって制御されるように構成される。また、前記電池１３と定電流回路２１との間には、前記切換スイッチ１２が設けられており、この切換スイッチ１２と定電流回路２１との間に、前記投光用光源９と散光用光源１０とが並列に設けられる。そして、前記切換スイッチ１２を操作することで、前記投光用光源９又は散光用光源１０の何れか一方に通電することができるように構成される。また、前記制御回路２０は、前記操作スイッチ１１が一回オンになると、前記投光用光源９又は散光用光源１０を強点灯させるように、前記定電流回路２１を制御する。また、前記制御回路２０は、前記操作スイッチ１１がもう一回オンになると、前記投光用光源９又は散光用光源１０を弱点灯させるように、前記定電流回路２１を制御する。更に、前記制御回路２０は、前記操作スイッチ１１がもう一回オンになると、前記投光用光源９又は散光用光源１０を消灯させるように、前記定電流回路２１を制御する。なお、前記切換スイッチ１２は、前記切換体８によって押されていない状態では、前記投光用光源９が点灯可能となり、前記切換体８によって押された状態では、前記散光用光源１０が点灯可能となるように切り換わるように構成される。
【００１７】
次に、本発明の作用について説明する。本発明の携帯用照明装置１を使用する場合、まず使用者は、前記把持部５を把持して前記携帯用照明装置１を持ち上げる。この場合、前記投光用光源９が通電可能な状態となるように、前記切換スイッチ１２が切り換わる。そして、前記操作体７を一回押すことで、前記操作スイッチ１１を一回オンにする。前記制御回路２０は、前記操作スイッチ１１が一回オンになったことを検知すると、前記定電流回路２１を作動させる。このように、前記定電流回路２１が作動すると、前記電池１３から、前記切換スイッチ１２、投光用光源９、定電流回路２１を経て前記電池１３に戻るように、電流が流れる。なお、前記操作スイッチ１１が一回オンにされた場合、前記制御回路２０は、前記投光用光源９を強点灯させるように前記定電流回路２１を制御する。前記操作体７をもう一回押して、前記操作スイッチ１１をもう一回オンにすると、前記制御回路２０は、前記投光用光源９を弱点灯させるように前記定電流回路２１を制御する。前記操作体７を更にもう一回押して、前記操作スイッチ１１をもう一回オンにすると、前記制御回路２０は、前記投光用光源９を消灯させるように前記定電流回路２１を制御する。このように、使用者が前記操作体７を繰り返し押すことで、前記投光用光源９は、強点灯−弱点灯−消灯を繰り返す。
【００１８】
そして、前記投光用光源９が点灯した状態で、前記投光部１５を照射したい方向に向けることで、前記携帯用照明装置１を投光器として使用することができる。なお、前述した通り、前記投光用光源９は白色ＬＥＤ、即ち比較的色温度が高い光源なので、投光器として使用した場合、照射された箇所を明るく感じさせることができる。
【００１９】
そして、このように投光用光源９が点灯した状態の携帯用照明装置１を、前記投光部１５が下を向いた図３の姿勢で設置面Ｆ上に置くと、前記切換体８は、前記切換スイッチ１２を押して、電流が流れる光源を、前記投光用光源９から前記散光用光源１０に切り換える。これによって、前記散光用光源１０が点灯する。このように、前記携帯用照明装置１は、周囲を広く照らすランタンとして使用することができる。なお、前記操作体７の下端７Ａは、設置面Ｆから浮いた状態なので、前記携帯用照明装置１を設置面Ｆ上に置いても押されない。そして、前記散光用光源１０から発した光は、半透明の前記上ケーシング３を通って拡散するので、周囲を柔らかく照射することができる。なお、前述した通り、前記散光用光源１０は電球色ＬＥＤ、即ち色温度が比較的低い光源なので、ランタンとして使用した場合、照射された箇所をより柔らかく照らすことができる。
【００２０】
更に、前記携帯用照明装置１を前記設置面Ｆから浮かせると、前記切換スイッチ１２が再び切り換わり、前記投光用光源９が再び点灯する。即ち、前記携帯用照明装置１は、持つことで投光器として使用可能となり、設置面Ｆに置くことでランタンとして使用可能となる。そして、前記投光用光源９と散光用光源１０は、前記携帯用照明装置１を設置面Ｆから持ち上げたり設置面Ｆ上に置いたりすることで、自動的に切り換えられるので、従来のように、手動で両光源を切り換える必要がなく、使い勝手を向上させることができる。
【００２１】
以上のように本発明は、電源としての電池１３が収容されたケーシング２と、投光用光源９を有する投光部１５と、散光用光源１０を有する散光部１６と、前記ケーシング２が設置面Ｆ上に置かれた際に前記散光用光源１０を発光させると共に前記ケーシングを持ち上げた際に前記投光用光源９を発光させる切換手段１９を設けたことで、前記ケーシング２を置く或いは持ち上げるという操作だけで、持った状態で使用されるべき投光用光源９と、置かれた状態で使用されるべき散光用光源１０とを自動的に切り換えることができるものである。
【００２２】
また、本発明は、前記ケーシング２の上ケーシング３を半透明な材質で構成し、この上ケーシング３内に前記散光用光源１０を設けたことにより、前記上ケーシング３自体をセードとし、前記散光用光源１０から発する光を拡散させて柔らかくすることができるものである。
【００２３】
更に、本発明は、投光用光源９の色温度を高く、散光用光源１０の色温度を低くしたことにより、投光器或いはランタンとして最適な光を得ることができるものである。
【００２４】
なお、本発明は以上の実施形態に限定されるものではなく、発明の要旨の範囲内で種々の変形実施が可能である。例えば、上記実施形態では、光源は何れもＬＥＤであるが、光源の何れか或いは両方を電球や蛍光灯等にしても良い。
【符号の説明】
【００２５】
１  携帯用照明装置
２  ケーシング
３  上ケーシング
９  投光用光源
１０  散光用光源
１３  電池（電源）
１５  投光部
１６  散光部
１９  切換手段
Ｆ  設置面
【図１】
2011150800.tif 000003
【図２】
2011150800.tif 000004
【図３】
2011150800.tif 000005
【図４】
2011150800.tif 000006